(57)【要約】【課題】尿貯留部を有する男性用失禁パンツを提供すること。【解決手段】吸水層及び防水層並びに消臭層を備えた男性用失禁パンツにおいて、パンツの内側に、導水層としての第１層と、吸水層としての第２層と、消臭層としての第３層と、防水層としての第４層とを重合したパッドで、下部に尿貯留用凹部を備えたパッドが配置されていると共に前記パッドの上下両端部が、それぞれ伸縮性生地を介してパンツに逢着されている。前記パッドの下端側の巾方向中央部を境にした巾方向両側の中間部が、前記パッドの下端側の巾方向中央部に折り畳むように重合され、かつ上部側の折り畳み巾が小さくなるように形成されることで、巾方向両側の折り畳み部間により前記尿貯留用凹部が形成されている。【選択図】図１
0003161421.tif 000002
【実用新案登録請求の範囲】
【請求項１】
吸水層及び防水層並びに消臭層を備えた男性用失禁パンツにおいて、パンツの内側に、導水層としての第１層と、吸水層としての第２層と、消臭層としての第３層と、防水層としての第４層とを重合したパッドで、下部に尿貯留用凹部を備えたパッドが配置されていると共に前記パッドの上下両端部が、それぞれ伸縮性生地を介してパンツに逢着されていることを特徴とする男性用失禁パンツ。
【請求項２】
前記パッドの下端側の巾方向中央部を境にした巾方向両側の中間部が、前記パッドの下端側の巾方向中央部に折り畳むように重合され、かつ上部側の折り畳み巾が小さくなるように形成されることで、巾方向両側の折り畳み部間により前記尿貯留用凹部が形成されていることを特徴とする請求項１に記載の男性用失禁パンツ。
【請求項３】
前記パッドの下端部が、下部の伸縮性生地片の上端部に逢着され、前記下部の伸縮性生地片の下端部がパンツ内側下部に逢着されていることを特徴とする請求項１又は２に記載の男性用失禁パンツ。
【請求項４】
前記パッドの上端部が、上部の伸縮性生地片の下端部に逢着され、前記上部の伸縮性生地片の上端部がパンツ内側上部に逢着されていることを特徴とする請求項１〜３のいずれか１項に記載の男性用失禁パンツ。
【請求項５】
パンツ本体に伸縮性を有することを特徴とする請求項１〜４のいずれか１項に記載の男性用失禁パンツ。
【考案の詳細な説明】
【技術分野】
【０００１】
本考案は、トランクス等の男性用失禁パンツに関し、小用を意識した瞬間に少量失禁してしまったり、重い物を持ったり、笑ったり、くしゃみをしたりした瞬間に失禁してしまったり、小用をする直前に少量漏らしてしまった場合のために着用する男性用失禁パンツに関する。
【背景技術】
【０００２】
従来、失禁対策としては、パンツの股間部分の裏側布地に吸水性の高い生地、表側布地には、防水性の高い生地を縫合したパンツを使用していた。
また、男性用失禁パンツとしては、裏側布地は、多重構造または、メッシュ等の生地を使用し、第２層は吸水層、第３層は消臭、抗菌、防臭、防カビ層、第４層は防水層、表側布地は綿生地または、弾性糸により適度に伸びを有する布地で構成された男性用失禁パンツとする技術も知られている（例えば、特許文献１参照）。
【０００３】
また、通常のパンツの内部にナプキンやパッド等を入れて使用していた。
【先行技術文献】
【特許文献】
【０００４】
【特許文献１】実開平０７―３１４号公報
【考案の概要】
【考案が解決しようとする課題】
【０００５】
前記従来の、パンツの股間部分の裏側布地に吸水性の高い生地、表側布地には、防水性の高い生地を縫合したパンツの場合には、失禁貯留がないので、ごく微量の場合にのみ吸水機能を有するが、２０〜３０ｍｌとなると、貯留できない。
また、前記従来の男性用失禁パンツの場合には、パンツの股間部分自体を４層構造としたり、５層構造とするので、多層構造とする面積が広くなるため高価になると共に、パンツの前面側下部が防水層となるため、パンツの前面側の上下で防水層の有無が明確になり、一見して、失禁パンツとしてわかるものであり、外出や旅行、スポーツの時、共同浴場等で衣服や下着を脱着する時など、失禁パンツ着用であると衆目され、恥ずかしく憂うつであった。
また、パンツの内部にナプキンやパッド等を入れた場合は、外出や旅行、スポーツの時、ナプキンやパッドがずれたり、脱落して、十分な運動ができなかった。
【０００６】
そこで本考案は、上述した点に鑑みて案出されたものであり、その目的とするところは、尿貯留部を有する男性用失禁パンツを提供することを目的とする。
【課題を解決するための手段】
【０００７】
第１考案の男性用失禁パンツでは、吸水層及び防水層並びに消臭層を備えた男性用失禁パンツにおいて、パンツの内側に、導水層としての第１層と、吸水層としての第２層と、消臭層としての第３層と、防水層としての第４層とを重合したパッドで、下部に尿貯留用凹部を備えたパッドが配置されていると共に前記パッドの上下両端部が、それぞれ伸縮性生地を介してパンツに逢着されていることを特徴とする。
第２考案では、第１考案の男性用失禁パンツにおいて、前記パッドの下端側の巾方向中央部を境にした巾方向両側の中間部が、前記パッドの下端側の巾方向中央部に折り畳むように重合され、かつ上部側の折り畳み巾が小さくなるように形成されることで、巾方向両側の折り畳み部間により前記尿貯留用凹部が形成されていることを特徴とする。
第３考案では、第１考案又は第２考案の男性用失禁パンツにおいて、前記パッドの下端部が、伸縮性生地片の上端部に逢着され、伸縮性生地片の下端部がパンツ内側下部に逢着されていることを特徴とする。
第４考案では、第１考案から第３考案のいずれかの男性用失禁パンツにおいて、前記パッドの上端部が、伸縮性生地片の下端部に逢着され、伸縮性生地片の上端部がパンツ内側上部に逢着されていることを特徴とする。
第５考案では、第１考案から第４考案のいずれかの男性用失禁パンツにおいて、パンツ本体に伸縮性を有することを特徴とする。
【考案の効果】
【０００８】
第１考案の男性用失禁パンツでは、吸水層及び防水層並びに消臭層を備えた男性用失禁パンツにおいて、パンツの内側に、導水層としての第１層と、吸水層としての第２層と、消臭層としての第３層と、防水層としての第４層とを重合したパッドで、下部に尿貯留用凹部を備えたパッドが配置されていると共に前記パッドの上下両端部が、それぞれ伸縮性生地を介してパンツに逢着されているので、３０ｍｌ程度の多少の失禁を生じても、漏れることはない。また、本考案の男性用失禁パンツは、これを使用する時、外見は普通のパンツと同じなので、他人に気づかれる心配もなく、運動も外出も気軽にできる男性用失禁パンツとなっている。そして、本考案の男性用失禁パンツは、外見は普通のパンツと同じであるが、内側は吸水、消臭、防臭効果があるので、漏れや臭いに対応できる。  また、本考案の男性用失禁パンツの内側に配置されるパッドは、伸縮性生地片を介して逢着しているため、男性器にフィットする男性用失禁パンツとされている。さらに、本考案の男性用失禁パンツは、合成樹脂製繊維又は合成樹脂製シートを用いることで、使い捨てではなく、洗濯することができるので経済的である等の効果が得られる。
第２考案では、第１考案の男性用失禁パンツにおいて、前記パッドの下端側の巾方向中央部を境にした巾方向両側の中間部が、前記パッドの下端側の巾方向中央部に折り畳むように重合され、かつ上部側の折り畳み巾が小さくなるように形成されることで、巾方向両側の折り畳み部間により前記尿貯留用凹部が形成されているので、１枚のパッドを用いた簡単な構造の尿貯留用凹部を形成することができる等の効果が得られる。
第３考案では、第１考案又は第２考案の男性用失禁パンツにおいて、前記パッドの下端部が、伸縮性生地片の上端部に逢着され、伸縮性生地片の下端部がパンツ内側下部に逢着されているので、パンツと男性器とが相対的にずれても、パッドは確実に男性器に追随して男性器にフィットさせることができる等の効果が得られる。
第４考案では、第１考案から第３考案のいずれかの男性用失禁パンツにおいて、前記パッドの上端部が、伸縮性生地片の下端部に逢着され、伸縮性生地片の上端部がパンツ内側上部に逢着されているので、パンツと男性器とが相対的にずれても、パッドは確実に男性器に追随して男性器にフィットさせることができる等の効果が得られる。
第５考案では、第１考案から第４考案のいずれかの男性用失禁パンツにおいて、パンツ本体に伸縮性を有するので、下半身に装着した場合にフィットする等の効果が得られる。
【図面の簡単な説明】
【０００９】
【図１】本考案の男性用失禁パンツの内側から見た図である。
【図２】図１の概略縦断側面図である。
【図３】本考案の男性用失禁パンツの正面図である。
【図４】パンツ前面側付近を示す図で、図３のａ−ａ線断面である。
【図５】パッドの上下両端部に伸縮性生地を逢着した状態を示す背面図である。
【図６】図５のｂ−ｂ線断面図である。
【図７】図５のｃ−ｃ線断面図である。
【図８】パッドの下端側の巾方向両側の中間部を中央部に向かって折り畳んだ状態を示す背面図である。
【図９】導水層側から見たパッドの正面図である。
【図１０】防水層側から見たパッドの背面図である。
【図１１】図９のｅ−ｅ矢視図である。
【図１２】図９のｄ−ｄ断面図である。
【図１３】（ａ）導水層側から見たパッド本体の正面図、（ｂ）は（ａ）のｆ−ｆ線断面図である。
【図１４】（ａ）は防水層を固定する前のパッド本体の断面図、（ｂ）は図１３（ａ）のｇ−ｇ線断面図である。
【図１５】パッド本体を分解して示す斜視図である。
【考案を実施するための形態】
【００１０】
以下、本考案を適用した男性用失禁パンツについて、図面を参照しながら詳細に説明をする。
【００１１】
先ず、男性用失禁パンツに用いるパッド本体１の構造について、図１４を参照しながら説明すると、導水層２と、消臭層３と、保水層４と、防水層５を備えている。
【００１２】
前記の導水層２は、シート状で、ポリエステル製繊維生地からなり、その内側表面をミクロパイル仕上げされ、男性器に対して優しい肌触りとされた導水層とされている。その導水層２の下側に、消臭層３が設けられている。
【００１３】
前記の消臭層３は、シート状で、ポリエステル製繊維生地又はポリエステル製不織布、ナイロン製繊維生地又はナイロン製不織布、あるいはポリエステル・ナイロン混紡製繊維生地又はポリエステル・ナイロン混紡製不織布のいずれかからなり、これらを構成する繊維としては、電子線又はガンマー線を用いた放射線グラフト重合法により、カルボキシル基等のアンモニア吸着官能基を化学結合により備えた形態の繊維糸が用いられた生地である。前記の消臭層３の下側に、保水層４が設けられている。
【００１４】
前記の保水層４は、シート状で、アクリル製、ポリプロピレン製、レーヨン製、又はポリエステル製の少なくとも１つ又は前記の２〜４つの素材からなる不織布が用いられ、吸水膨潤性の高い樹脂製材料（合成樹製繊維）が用いられる。前記の保水層４の下側に防水層５が設けられている。前記の不織布に用いる糸としては、繊維断面で直径が１０倍程度膨潤する材料を用いるとよい。前記の保水層４としては、アンモニア吸着機能を有する保水層４とするのが望ましい。
【００１５】
前記の防水層５は、例えば、屈曲性があり、不透水性のシート又はフィルムで、例えば、ポリウレタン製フィルム（又はシート）が用いられる。
【００１６】
図１３（ａ）及び図１４（ａ）に示すように、それぞれ長方形の、前記の導水層２と消臭層３と保水層４とを重合して、図１３（ａ）に示すように菱形模様に逢着して一体化すると共に、前記の保水層４の裏面又は防水層５の表面に、前記の逢着部６に沿って（又はこれに対応する位置に）接着剤１８を塗布して前記の防水層５を接着し、図１３（ａ）及び図１４（ｂ）に示すような４層構造のパッド本体１とされている。なお、接着部間で防水層５は多少の伸び代の余裕をもって固着されている。
【００１７】
前記パッド本体１の周縁部には、その縁部の表裏に亘って折り曲げられた合成樹脂性の防水テープ７が配置されて逢着８されて、周縁部からの漏水がないようにされている。図９に示すように、上下の横方向の防水テープ７の両端部は、左右の上下方向の防水テープ７により被覆されて、上下方向の防水テープ７の両端部は、図１１に示すように、裏側に折り曲げられた状態で逢着８されて、平坦状のパッド１１とされている。
【００１８】
前記の平坦状のパッド１１において、図９の下側に一点鎖線で示す第１折り畳み曲線９と、点線で示す第２折り畳み曲線１０で示す部分で、かつ点線で示す第２折り畳み曲線１０で示す部分が内側となり、一点鎖線で示す第１折り畳み曲線９が、パッド１１の巾方向の中央部側となるように、さらに巾方向の中央から点線で示す第２折り畳み曲線１０の基端点Ａと、前記基端点Ａから一点鎖線で示す第１折り畳み曲線９の基端点Ｂまでが同じ巾Ｘとなるようにされている。
【００１９】
そして、図８に示すように、前記基端点Ｂが、防水テープ７の上下の巾方向の中間部に位置するようにずらすように折り畳まれた状態で、前記基端点Ａが内側となるように折り畳まれる。
【００２０】
すなわち、前記パッドの下端側の巾方向中央部Ｃを境にした巾方向両側の中間部が、巾Ｘで２つ折りにされて、前記基端点Ｂが前記パッドの下端側の巾方向中央部Ｃで、防水テープ７の巾内において、若干上側位置するように折り畳まれて重合される。
しかも、上部側の折り畳み巾が小さくなるように形成されることで、図７に示すように、巾方向両側の折り畳み部１２間により前記尿貯留用凹部１３が形成されたパッド１１とされている。
【００２１】
下端が巾方向に折り畳まれた状態で、前記のパッド１１寸法としては、パッドの上下方向の長さ寸法は約２５０ｍｍ前後、パッドの上端側の巾が約１２５ｍｍ前後、パッドの下端側の巾が約５５ｍｍ前後、パッドの厚みが約２ｍｍ前後に形成される。
【００２２】
前記のようにパッド１１が折り畳まれた状態で、図５及び図６に示すように、前記パッド１１の下端裏面側に下部の伸縮性生地片１４の上端部が逢着８されて、前記の折り畳み部１２と尿貯留用凹部１３はほぼ所定の形状を保持される。また、前記パッド１１の上端裏面側に上部の伸縮性生地片１４の下端部が逢着される。
【００２３】
そして、図１〜図４に示すように、下部の伸縮性生地片１４の下端部がパンツ本体１９の内側下部中央の底部付近に逢着され、また、上部の伸縮性生地片の上端部がパンツ内側上部の環状の伸縮性バンド部１５の下部に逢着されている。
なお、前記実施形態では、パンツ本体１９部分は伸縮性を有する生地により作製され、使用者の体型よりも若干小型とすることで、下半身に装着した場合にフィットするようにされている。また、トランクスからなる失禁用パンツとする場合には、使用者の体型より若干大きくされ、上下の伸縮性生地変１４の長さ寸法を適宜設定することで、下半身に装着した場合にフィットするようにされる。
【００２４】
前記のような形態では、失禁用パンツを装着した場合に、図２に示すように、尿貯留用凹部１３が股間部付近で体型にフィットして屈曲し、失禁した場合、３０ｍｌ程度確実に貯留できる失禁パンツとすることができる。なお、図２等の図示では、導水層と、消臭層と保水層と防水層の４層を合わせて、太線１本で表している。
【００２５】
図４に示すように、男性用パンツ前面側の男性器の出し入れ口１６の背面側が、防水層５となり、自発的に排尿する場合には、出し入れ口１６側からパッド１１をめくって、２点鎖線で示す男性器１７を、前記出し入れ口１６から出すことにより、排尿することができる。
【００２６】
また、以上のような本考案の男性用失禁パンツは、通常のパンツと同様に装着して使用する。
【符号の説明】
【００２７】
１  パッド本体
２  導水層
３  消臭層
４  保水層
５  防水層
６  逢着部
７  防水テープ
８  逢着
９  第１折り畳み曲線
１０  第２折り畳み曲線
１１  パッド
１２  折り畳み部
１３  尿貯留用凹部
１４  伸縮性生地片
１５  伸縮性バンド部
１６  出し入れ口
１７  男性器
１８  接着剤
１９  パンツ本体
【図１】
0003161421.tif 000003
【図２】
0003161421.tif 000004
【図３】
0003161421.tif 000005
【図４】
0003161421.tif 000006
【図５】
0003161421.tif 000007
【図６】
0003161421.tif 000008
【図７】
0003161421.tif 000009
【図８】
0003161421.tif 000010
【図９】
0003161421.tif 000011
【図１０】
0003161421.tif 000012
【図１１】
0003161421.tif 000013
【図１２】
0003161421.tif 000014
【図１３】
0003161421.tif 000015
【図１４】
0003161421.tif 000016
【図１５】
0003161421.tif 000017